(57)【要約】【課題】  撮像面を傷つけずに撮像部材をカバーに収納する。【解決手段】  収納具１は、略矩形形状を有する前面片１１と、前面片１１と隣接し略矩形形状を有する後面片１３を有し、後面片１３の略矩形形状を構成する４辺のうち隣接する３辺が前面片１１と接続し、残る１辺の部分で開口部１２ｄを形成するものであり、前面片１１と後面片１３が撮像部材３０を挟むカバー１０を備える。溝部５１ａと５２ａを有し、開口部１２ｄの両端に溝部５１ａと５２ａが対向する位置関係で着脱可能な状態で挿入される第１レール５１と第２レール５２とを有する補助具５０を備える。撮像部材３０は、歯科用Ｘ線撮影に用いられるイメージングプレートであり、補助具５０は、第１レール５１の溝部５１ａと第２レール５２の溝部５２ａを介して、撮像部材３０を、開口部１２ｄからカバー１０に挿入するために使用され、撮像部材３０の挿入完了後にカバー１０から取り外される。【選択図】図３
2016127878.tif 000002
【特許請求の範囲】
【請求項１】
略矩形形状を有する前面片と、前記前面片と隣接し略矩形形状を有する後面片を有し、前記後面片の略矩形形状を構成する４辺のうち隣接する３辺が前記前面片と接続し、残る１辺の部分で開口部を形成するものであり、前記前面片と前記後面片が撮像部材を挟むカバーと、
溝部を有し、前記開口部の両端に前記溝部が対向する位置関係で着脱可能な状態で挿入される第１レールと第２レールとを有する補助具とを備え、
前記撮像部材は、歯科用Ｘ線撮影に用いられるイメージングプレート若しくはフィルムであり、
前記補助具は、前記第１レールの溝部と前記第２レールの溝部を介して、前記撮像部材を、前記開口部から前記カバーに挿入するために使用され、前記撮像部材の挿入完了後に前記カバーから取り外されることを特徴とする撮像部材の収納具。
【請求項２】
前記補助具は、前記第１レールと前記第２レールを接続する接続部を有し、
前記撮像部材の撮像面が前記前面片に対向するように、前記撮像部材は前記カバーに挿入されるものであり、
前記接続部は、前記補助具が前記カバーに装着された時に、前記前面片よりも前記後面片に近い側に設けられることを特徴とする請求項１に記載の収納具。
【請求項３】
前記接続部は、前記第１レールがある側に設けられた第１接続部材と、前記第２レールがある側に設けられた第２接続部材と、前記第１接続部材と前記第２接続部材を接続する弾性部材を有し、
前記弾性部材を収縮させた状態で、前記接続部を含む前記補助具が前記カバーに挿入されることを特徴とする請求項２に記載の収納具。
【請求項４】
前記カバーは、前記撮像部材の前記カバーへの挿入と、前記補助具の前記カバーからの取り外しの後に、前記前面片や前記後面片と重ね合わせされる蓋片を有し、
前記撮像部材の撮像面が前記前面片に対向するように、前記撮像部材は前記カバーに挿入されるものであり、
前記第1レールや前記第２レールは、前記前面片の長手方向の寸法よりも長く、
前記第１レールや前記第２レールは、前面片がある側と反対側に曲げられることを特徴とする請求項１に記載の収納具。
【請求項５】
略矩形形状を有する前面片と、前記前面片と隣接し略矩形形状を有する後面片を有し、前記後面片の略矩形形状を構成する４辺のうち隣接する３辺が前記前面片と接続し、残る１辺の部分で開口部を形成するものであり、前記前面片と前記後面片が撮像部材を挟むカバーにおける、前記開口部の両端に溝部が対向する位置関係で着脱可能な状態で挿入される第１レールと第２レールとを備える前記撮像部材の収納用補助具であって、
前記撮像部材は、歯科用Ｘ線撮影に用いられるイメージングプレート若しくはフィルムであり、
前記補助具は、前記第１レールの溝部と前記第２レールの溝部を介して、前記撮像部材を、前記開口部から前記カバーに挿入するために使用され、前記撮像部材の挿入完了後に前記カバーから取り外されることを特徴とする収納用補助具。
【発明の詳細な説明】
【技術分野】
【０００１】
本発明は、歯科用口腔内Ｘ線撮影装置に使用する撮像部材を、カバーに収納する収納具などに関する。
【背景技術】
【０００２】
イメージングプレートを使った歯科用口腔内Ｘ線撮影装置が提案されており、特許文献１は、カバーから取り出したイメージングプレートのスキャンや初期化（画像消去）を行う装置が開示されている。
【先行技術文献】
【特許文献】
【０００３】
【特許文献１】特表２０１４−５０８００７号公報
【発明の概要】
【発明が解決しようとする課題】
【０００４】
しかし、画像消去後のイメージングプレートをカバーに収納する工程で誤って撮像面を傷つけるおそれがある。
【０００５】
したがって本発明の目的は、撮像面を傷つけずに撮像部材をカバーに収納する収納具などを提供することである。
【課題を解決するための手段】
【０００６】
本発明に係る撮像部材の収納具は、略矩形形状を有する前面片と、前面片と隣接し略矩形形状を有する後面片を有し、後面片の略矩形形状を構成する４辺のうち隣接する３辺が前面片と接続し、残る１辺の部分で開口部を形成するものであり、前面片と後面片が撮像部材を挟むカバーと、溝部を有し、開口部の両端に溝部が対向する位置関係で着脱可能な状態で挿入される第１レールと第２レールとを有する補助具とを備え、撮像部材は、歯科用Ｘ線撮影に用いられるイメージングプレート若しくはフィルムであり、補助具は、第１レールの溝部と第２レールの溝部を介して、撮像部材を、開口部からカバーに挿入するために使用され、撮像部材の挿入完了後にカバーから取り外される。
【０００７】
補助具を使うことにより、撮像部材の撮像面がカバーや使用者と接触せずに撮像部材をカバーに挿入することが出来るため、撮像部材をカバーに収納する際に、当該撮像面を傷つける可能性を低くすることが可能になる。
【０００８】
好ましくは、補助具は、第１レールと第２レールを接続する接続部を有し、撮像部材の撮像面が前面片に対向するように、撮像部材はカバーに挿入されるものであり、接続部は、補助具がカバーに装着された時に、前面片よりも後面片に近い側に設けられる。
【０００９】
第１レールの溝部と第２レールの溝部の距離を一定に保つことが可能になる。
【００１０】
さらに好ましくは、接続部は、第１レールがある側に設けられた第１接続部材と、第２レールがある側に設けられた第２接続部材と、第１接続部材と第２接続部材を接続する弾性部材を有し、弾性部材を収縮させた状態で、接続部を含む補助具がカバーに挿入される。
【００１１】
より確実に、第１レールの溝部と第２レールの溝部の距離を一定に保つことが可能になる。
【００１２】
また、好ましくは、カバーは、撮像部材のカバーへの挿入と、補助具のカバーからの取り外しの後に、前面片や後面片と重ね合わせされる蓋片を有し、撮像部材の撮像面が前面片に対向するように、撮像部材はカバーに挿入されるものであり、第1レールや第２レールは、前面片の長手方向の寸法よりも長く、第１レールや第２レールは、前面片がある側と反対側に曲げられる。
【００１３】
蓋片などに触れずに、撮像部材を第１レールの溝部や第２レールの溝部に掛けやすくすることが可能になる。
【００１４】
本発明に係る撮像部材の撮像部材の収納用補助具は、略矩形形状を有する前面片と、前面片と隣接し略矩形形状を有する後面片を有し、後面片の略矩形形状を構成する４辺のうち隣接する３辺が前面片と接続し、残る１辺の部分で開口部を形成するものであり、前面片と後面片が撮像部材を挟むカバーにおける、開口部の両端に溝部が対向する位置関係で着脱可能な状態で挿入される第１レールと第２レールとを備え、撮像部材は、歯科用Ｘ線撮影に用いられるイメージングプレート若しくはフィルムであり、補助具は、第１レールの溝部と第２レールの溝部を介して、撮像部材を、開口部からカバーに挿入するために使用され、撮像部材の挿入完了後にカバーから取り外される。
【発明の効果】
【００１５】
以上のように本発明によれば、撮像面を傷つけずに撮像部材をカバーに収納する収納具などを提供することができる。
【図面の簡単な説明】
【００１６】
【図１】本実施形態におけるカバーと補助具の斜視図である。
【図２】第１レールと第２レールをカバーに装着した状態を示す斜視図である。
【図３】第１レールと第２レールの溝部に撮像部材を掛けた状態を示す斜視図である。
【図４】撮像部材をカバーに挿入した後であって、第１レールと第２レールを取り外す前の状態を示す斜視図である。
【図５】撮像部材をカバーに挿入した後であって、第１レールと第２レールを取り外した後の状態を示す斜視図である。
【図６】ガイド部が設けられた第１レールと第２レールの斜視図である。
【図７】接続部が設けられた補助具の斜視図である。
【図８】接続部をカバーに装着した状態を示す斜視図である。
【図９】第１接続部材と第２接続部材と弾性部材を有する接続部の斜視図である。
【発明を実施するための形態】
【００１７】
以下、本実施形態における収納具の構成について、図を用いて説明する。本実施形態に係る撮像部材３０の収納具１は、カバー１０と、補助具（収納用補助具）５０とを備える（図１〜図５参照）。
【００１８】
方向を説明するために、水平方向の一方（カバー１０の短手方向）をｘ方向、ｘ方向に垂直な水平方向（カバー１０の長手方向、撮像部材３０の挿入方向）をｙ方向、ｘ方向とｙ方向に垂直な鉛直方向（カバー１０の厚さ方向）をｚ方向として説明する。
【００１９】
カバー１０は、略矩形形状の前面片１１と後面片１３と蓋片１５で構成され、前面片１１と後面片１３の境界や、前面片１１と蓋片１５の境界で、三つ折りにされ、内部に撮像部材３０を収納する。
【００２０】
後面片１３の略矩形形状を構成する４辺のうち前面片１１と接続する１辺（中央接続領域１２ｃ）に垂直な２辺（第１接続領域１２ａ、第２接続領域１２ｂ）が、撮像部材３０を間に挟んだ状態で、前面片１１と接続される。
【００２１】
後面片１３の略矩形形状を構成する４辺のうち、前面片１１と接続する１辺（中央接続領域１２ｃ）や、当該１辺と垂直な２辺（第１接続領域１２ａ、第２接続領域１２ｂ）を除く１辺は、前面片１１と接続されず、かかる部分で開口する（開口部１２ｄ）。
【００２２】
かかる３辺（第１接続領域１２ａ〜第３接続領域１２ｃ）の接続により、前面片１１と後面片１３が撮像部材３０を収納する袋を形成する（図１参照）。
なお、前面片１１と後面片１３を、２つに折り曲げて当該袋を形成する形態に限るものではなく、別体で構成された前面片１１と後面片１３とを３辺で貼り合わせて、当該袋を形成する形態であってもよい。
【００２３】
開口部１２ｄを介して、撮像部材３０が挿入される。
【００２４】
具体的には、開口部１２ｄの両端部の一方（第１接続領域１２ａ）には、第１レール５１が挿入され、他方（第２接続領域１２ｂ）には、第２レール５２が挿入され、第１レール５１と第２レール５２の間に撮像部材３０が挿入される（図２〜図４参照）。
【００２５】
補助具５０を使って、撮像部材３０が収納され、補助具５０がカバー１０から取り外された後に、蓋片１５の略矩形形状を構成する４辺のうち前面片１１と接続する１辺を除く３辺が、前面片１１や後面片１３と重ね合わせされる（図５参照）。
【００２６】
前面片１１は撮像部材３０の撮像面よりも大きい略矩形形状を有し、後面片１３が接続されていない１辺で、蓋片１５の略矩形形状を構成する４辺のうちの１辺と接続する。
撮像部材３０の撮像面が前面片１１に対向するように、撮像部材３０はカバー１０に挿入される。
【００２７】
前面片１１との接続箇所で折り曲げられて、蓋片１５が前面片１１や後面片１３と対向する位置に配置されると、蓋片１５と後面片１３とで撮像部材３０の背面が隠れるように、蓋片１５と後面片１３の大きさが決定される。
【００２８】
本実施形態では、後面片１３が前面片１１よりも小さい（長手方向、ｙ方向の寸法が短い）形態を説明するが、後面片１３が前面片１１と略同じ大きさのものであってもよい。
【００２９】
補助具５０は、カバー１０に、歯科用口腔内Ｘ線撮影において使用されるイメージングプレート、フィルムなどの撮像部材３０を挿入するために使用され、第１レール５１、第２レール５２を有する。
【００３０】
第１レール５１における第２レール５２と対向する側には、撮像部材３０の厚さと同等の厚さを有する溝部５１ａが設けられる。
【００３１】
第１レール５１における第２レール５２と対向する側と反対側は、前面片１１と後面片１３とが接続する３辺のうち対向する１対の一方（第１接続領域１２ａ）の内側領域と略同形状を有するのが望ましい。
【００３２】
第２レール５２における第１レール５１と対向する側には、撮像部材３０の厚さと同等の厚さを有する溝部５２ａが設けられる。
【００３３】
第２レール５２における第１レール５１と対向する側と反対側は、前面片１１と後面片１３とが接続する３辺のうち対向する１対の他方（第２接続領域１２ｂ）の内側領域と略同形状を有するのが望ましい。
【００３４】
第１レール５１や第２レール５２のｙ方向（長手方向）の寸法は、第１接続領域１２ａや第２接続領域１２ｂよりも長い。
【００３５】
第１レール５１や第２レール５２がカバー１０に挿入された状態で、第１レール５１の溝部５１ａと第２レール５２の溝部５２ａの間が、撮像部材３０の短手方向の長さと略同一になるように、カバー１０と補助具５０の大きさが決定される。
【００３６】
本実施形態では、長手方向に撮像部材３０をカバー１０に挿入する形態を説明するが、短手方向に撮像部材３０をカバー１０に挿入する形態であってもよい。
この場合、第１レール５１や第２レール５２がカバー１０に挿入された状態で、第１レール５１の溝部５１ａと第２レール５２の溝部５２ａの間が、撮像部材３０の長手方向の長さと略同一になるように、カバー１０と補助具５０の大きさが決定される。
【００３７】
第１レール５１や第２レール５２を取り外した後に、カバー１０内の撮像部材３０がずれにくくするため、第１レール５１や第２レール５２のｘ方向やｚ方向の寸法は小さくするのが望ましい。
【００３８】
補助具５０を使って、撮像部材３０をカバー１０に挿入する手順を説明する。予め、カバー１０は、後面片１３を構成する略矩形形状の４辺のうち、３辺（第１接続領域１２ａ、第２接続領域１２ｂ、中央接続領域１２ｃ）は、前面片１１を構成する略矩形形状の４辺のうちの３辺と接続し、残る１辺で開口して袋を形成するように、前面片１１と後面片１３が、接着などで、繋ぎ合わされる（図１参照）。
【００３９】
第１レール５１が、第１接続領域１２ａに密着するように、前面片１１と後面片１３とで形成された袋に挿入され、第２レール５２が、第２接続領域１２ｂに密着するように、前面片１１と後面片１３とで形成された袋に挿入される（図２参照）。
【００４０】
撮像部材３０を形成する略矩形形状の長手方向の２辺の一方を第１レール５１の溝部５１ａに掛け、他方を第２レール５２の溝部５２ａに掛ける（図３参照）。
すなわち、撮像部材３０の少なくとも一部が、第１レール５１の溝部５１ａと第２レール５２の溝部５２ａとで挟まれた状態で、保持される。
【００４１】
撮像部材３０を形成する略矩形形状の短手方向の２辺の一方（開口部１２ｄと対向する側と反対側の辺）を押して、撮像部材３０を当該袋の中に入れる（図４参照）。
【００４２】
撮像部材３０の挿入が完了後に、第１レール５１や第２レール５２をカバー１０から抜き出す（図５参照）。
【００４３】
第１レール５１や第２レール５２の抜き出し完了後に、蓋片１５を折り曲げ、前面片１１や後面片１３と重ね合わせる。
【００４４】
本実施形態では、補助具５０を使うことにより、撮像部材３０の撮像面がカバー１０や使用者と接触せずに撮像部材３０をカバー１０に挿入することが出来るため、撮像部材３０をカバー１０に収納する際に、当該撮像面を傷つける可能性を低くすることが可能になる。
【００４５】
蓋片１５などに触れずに、撮像部材３０を第１レール５１の溝部５１ａや第２レール５２の溝部５２ａに掛けやすくするために、第１レール５１や第２レール５２の先端に、前面片１１がある側と反対側に曲げたガイド部（５１ｂ、５２ｂ）を設ける形態であってもよい（図６参照）。
この場合、第１レール５１や第２レール５２は、前面片１１の長手方向の寸法（ｙ方向の寸法）よりも長く、第１レール５１や第２レール５２の先端は、前面片１１がある側と反対側に曲げられる形状を有する。
【００４６】
また、第１レール５１の溝部５１ａと第２レール５２の溝部５２ａの距離を一定に保つために、補助具５０は、第１レール５１と第２レール５２を接続する接続部５３を有する形態であってもよい（図７、図８参照）。
【００４７】
接続部５３は、補助具５０がカバー１０に装着された時に、前面片１１よりも後面片１３に近い側、すなわち、撮像部材３０が補助具５０に挿入された時に、撮像面の背面に近い側に設けられるのが望ましい。
なお、図７や図８の例では、接続部５３が１枚の平板で構成される形態を示すが、複数の棒状部材で構成される形態であってもよい。
【００４８】
また、接続部５３が、第１レール５１側に設けられた第１接続部材５３ａと、第２レール５２側に設けられた第２接続部材５３ｂと、第１接続部材５３ａと第２接続部材５３ｂを接続するバネなどの弾性部材５３ｃを有する形態であってもよい（図９参照）。
【００４９】
この場合、弾性部材５３ｃに力の加えない状態で、第１接続部材５３ａと弾性部材５３ｃと第２接続部材５３ｂをつなぎ合わせた接続部５３のｘ方向の長さは、カバー１０の開口部１２ｄのｘ方向の長さよりも長く、弾性部材５３ｃをｘ方向に収縮させて、接続部５３を含む補助具５０をカバー１０に挿入する。
【００５０】
弾性部材５３ｃの反発力により、第１接続部材５３ａと第２接続部材５３ｂは互いに離れる方向に力が加わり、第１レール５１は第１接続領域１２ａに密着し、第２レール５２は第２接続領域１２ｂに密着する。
【００５１】
これにより、より確実に、第１レール５１の溝部５１ａと第２レール５２の溝部５２ａの距離を一定に保つことが可能になる。
なお、図９の例では、第１接続部材５３ａや第２接続部材５３ｂが１枚の平板で構成される形態を示すが、複数の棒状部材で構成される形態であってもよい。
【符号の説明】
【００５２】
１  収納具
１０  カバー
１１  前面片
１２ａ  第１接続領域
１２ｂ  第２接続領域
１２ｃ  中央接続領域
１２ｄ  開口部
１３  後面片
１５  蓋片
３０  撮像部材
５０  補助具
５１、５２  第１レール、第２レール
５１ａ、５２ａ  第１レールの溝部、第２レールの溝部
５１ｂ、５２ｂ  第１レールのガイド部、第２レールのガイド部
５３  接続部
５３ａ  第１接続部材
５３ｂ  第２接続部材
５３ｃ  弾性部材
【図１】
2016127878.tif 000003
【図２】
2016127878.tif 000004
【図３】
2016127878.tif 000005
【図４】
2016127878.tif 000006
【図５】
2016127878.tif 000007
【図６】
2016127878.tif 000008
【図７】
2016127878.tif 000009
【図８】
2016127878.tif 000010
【図９】
2016127878.tif 000011